(57)【特許請求の範囲】
【請求項１】
地上に接地した枕木上に角パイプを取り付け、角パイプ上に直立した支柱上部に設けたレールの上下にローラ又はベアリングを設けてレールを挟持して転動する製材台を設け、製材台上にゲージ台を設けて、支点をゲージ台に有するハンドルの先端部の作用点をエンジンを搭載した移動台の枠に設け、ゲージ台上部に一定の間隔で設けた目盛り穴に係止ピン先端部を入れてハンドルを固定すると前記のハンドルの作用点を設けた移動台の枠が固定されて丸鋸の挽く位置の固定が出来るゲージ台を備えることを特徴とする小型自動製材機。
【請求項２】
製材台本体に駆動台を連結する連結部を有し、連結した駆動台下方に駆動輪とつば付きローラを設け、駆動台上に設けた中間軸のスプライン軸にプーリを設けて前記丸鋸の回転軸に設けたプーリから動力伝達され、その中間軸より動力伝達される減速機の入力軸の回転力を出力軸よりチエーンで駆動輪に動力伝達されることを特徴とする製材台本体を駆動する駆動台を備える請求項１に記載の小型自動製材機。
【請求項３】
レールの方向と同一方向に枕木上に角パイプを設置し、角パイプは二分割して継ぎ手５５で連結し、該角パイプの下方に鉄板を突設し、鉄板には左右２つの軸穴を設けて、それぞれの軸穴に通した２本の軸を支持し、両軸に歯車と左右に開閉する抱えアームと木材を搭載するためのハンドルを設け、ハンドルには適位置でハンドルを係止させるストッパーを設けてあり、前記角パイプ上に設けた木材載置台に滑り台を設けた木材載置装置を備える事を特徴とする請求項１乃至請求項２のいづれかに記載の小型自動製材機。
【請求項４】
木材載置台の両端にはクリッパーを設け、載置台上に摺動して移動を自在にしてあるクリッパーにはその上部にハンドルＡとハンドルＢとを設け、ハンドルＡには木材の木口に鋭利な歯を当てて固定する機能を備え、ハンドルＢには自在に摺動するクリッパーを載置台上に固定する機能を備え、載置台上の２台のクリッパー間に置かれた木材の長さに合わせてクリッパーを摺動させて木材を載置台上に固定することが出来ることを特徴とする木材固定装置を有する請求項１乃至請求項３のいづれかに記載の小型自動製材機。
【請求項５】
製材台本体に設けたケースの内部に螺子付きボルトを回転可能に軸止し、その一端にはハンドルを設け、前記のボルトの螺子の回転で移動するコマを設けてハンドルの回転でケース内部のコマが移動して、コマに設けた伸縮軸の一端にチエンソーを脱着することが出来るようにしたことを特徴とするチエーンソー取り付け装置を有する請求項１乃至請求項４のいづれかに記載の小型自動製材機。
【請求項６】
枕木上には角パイプのレール台を設け、レール台上に直立した支柱先端部にホルダーを設けて、ホルダーに支持されたアームに設けてある左右レールの上下をローラ、及びつば付きローラでそれぞれ挟持して、製材台がレール上を正確に移動するようにしたことを特徴とする製材台移動用レール構造を備えた請求項１乃至請求項５のいづれかに記載の小型自動製材機。
【請求項７】
枕木上には角パイプのレール台を設け、これにレールを支持する角支柱を直立して、この支柱先端部の左右に突設したアームをＴ字形に設け、アームに設けた左右レールの上下にベアリングをスナップリングで止めてそれぞれ設けて、製材台本体下方に突設してある角パイプに前記のベアリング及びレールの側面に当接して間隔調整用のベアリングを設け、レールを挟持して製材台がレール上を正確に移動するようにしたことを特徴とする製材台移動用レールの構造を有する請求項１乃至請求項６のいづれかに記載の小型自動製材機。
【発明の詳細な説明】
【０００１】
【発明の属する技術分野】
本発明に係る小型自動製材機は、木材の生産者が生産地まで製材機を運搬して設置し、現地で木材を製材することが出来るように、軽量で、運搬容易、設置と撤去が容易に出来る小型自動製材機を提供することを目的とするものである。
【０００２】
【従来の技術】
従来の製材機は、大きな構造で重量があるため、軽トラックの荷台に乗せて移動が出来ない決定的な欠点があった。このため、木材の生産地から製材機を設置している製材所まで木材を運送する費用が嵩み、間伐材のような経済価値が低い丸太は、製材所へ運ぶような労力をかけること無く、林内に切り捨てにされ放置される場合が多い。このような理由から、高い運搬費用をかけて遠方の製材所や木材市場まで出荷をすることがためらわれる。このために、生産農家に対しては間伐を行うように奨励されている。しかしながら、これら経済価値が低い間伐材の作業にかかわっている稼働日数が減少している。市場に間伐材を供給することも出来ず、間伐作業が行われる事が無くなった林内は荒廃する。このような山間地に林道を建設してもそれを利用して有効に産業が発達することが出来ない。皮肉なことに２００年以上の高い樹齢の木材の盗難の危険が発生しており、建設された林道を有効に利用可能な産業が発達しにくい現状である。
【０００３】
このような理由のために、木材の生産農家は間伐材を経済価値がないものと諦め、間伐が行われなかった林内には日光が入らず雑木が発生しない。このために林内の表土が雨で洗われて、林内が荒廃する原因になっている。又杉桧の人口林は、極めて苗木が密植されており、そこには間伐の必要は生産農家の責務であり、花粉症を起こす花粉の発生場所にもなっている。
【０００４】
間伐材は、出荷前に間伐材を角材等に加工することにより付加価値を付ける事が出来る。生産農家は自ら間伐を行った丸太を生産地で製材をすれば、間伐材を付加価値を付けた製品にして出荷する事が出来る。
【０００５】
有利な付加価値を付けた半加工品にすれば、誰でも、何時でも、業務上でも、日常生活上でも便利に活用されるものである。国民的な幅広い需要者の求めている利用されやすい、手頃な値段で利用容易な商品であれば、付加価値は高くなるので出荷をする事が出来る。角材、板材等に製品化した商品を出荷し販売し価値を平等に還元する事が出来る市場を形成すれば、これによって生産農家は、過疎化して沈滞している自らの山村生活に夢をもたらし、人里はなれた山村の空気に従来には見られない活気を発生させることが出来る。このような環境の中で醸成される活力は、有効に利用可能な健康な国民的産業が発生し、発達し、資源の循環型社会を形成することが出来る原動力となる。
【０００６】
【発明が解決しようとする課題】
本発明は、木材の生産者が生産地まで製材機を軽トラックで運搬して設置して製材し、経済的に有利な付加価値を付けた木材にして出荷することが出来るようにするために、軽量で、運搬容易、設置と撤去が容易に出来る小型自動製材機を提供することを目的としているものである。
【０００７】
【課題を解決するための手段】
本発明に係る小型自動製材機は、レールを分割して移動し又分割したレールを容易に連結出来る構造を有するレールと、このレールを挟んで転動するローラ又はベアリングを製材台本体下方に設け、製材台本体の上面左右に角パイプを溶接して両角パイプ間に通した２本の水平移動軸にピロブロックを通して移動軸の両端を前記の角パイプに設け、そのピロブロックに上部に移動台を設けて、その移動台の上又は下に設けた丸鋸の回転軸とこれを駆動するエンジンを軸方向に水平移動可能に設け、製材台本体をレール上で往復移動させる駆動部を有する駆動台を前記製材台本体に連結して構成し、エンジンよりの出力軸に２連のプーリ、丸鋸の回転軸に三連のプーリをそれぞれ設けて動力を丸鋸の回転軸に伝達し、回転軸から中間軸に動力伝達して、減速機を介して駆動輪に回転力を伝達し、丸鋸の下方にはレールに沿って設けた角パイプ上に丸太を固定する機能を備えている木材固定装置及び木材載置装置を設けることを特徴とする移動容易にした小型自動製材機である。
【０００８】
地上に設置した枕木に設けた角パイプのレール台上に左右レールを支える支柱をそれぞれ設け、一方の支柱上部のホルダーには駆動輪のピンが噛合する穴を有する穴開きレールを設け、該台上のもう一方の支柱には通常のレールを設け、該レールの中央部を二つに分割して両レールを継ぎ手で連結出来るようにしている。
【０００９】
該レールの上下を挟んで転動するローラ又はベアリングを製材台本体の下方に設けた角パイプに設け、転動によって製材台はレール上を往復移動することが出来る。
【００１０】
製材台本体の上方には、２本の角パイプを溶接して設け、２本の角パイプ間に水平移動軸を設け、これにピロブロックで支持された軸上の移動台が水平に移動出来るように設ける。
【００１１】
軸上の移動台にはピロブロックを設けて丸鋸の回転軸を支持し、この回転軸の片方には丸鋸を取り付け、回転軸のもう一方にはプーリを設け、移動台上に取り付けたエンジンの回転軸より遠心クラッチを介して出力軸のプーリに掛けたベルトで丸鋸の回転軸に動力伝達される。
【００１２】
移動台に、丸鋸の回転軸、エンジン、ゲージ台のハンドルの作用点をそれぞれ設けてあり、水平移動軸上のピロブロックにより水平移動が出来る。又ゲージ台の係止ピンを目盛り穴に入れてハンドルの作用点を移動台に固定すれば移動台の固定が出来るものである。
【００１３】
移動台上に取り付けたエンジンの動力は、遠心クラッチを介して出力される出力軸に設けたプーリに掛けたベルトで前記の丸鋸を回転させる回転軸に伝達される。即ちその回転軸には３連結のプーリを設け、その２つのプーリには２本のベルトを掛けてエンジンの出力プーリより、丸鋸の回転軸に設けたプーリに伝達され、そして、もう１つのプーリはベルトで駆動部台上に設けた中間軸に動力伝達される。その中間軸より減速機の入力軸にベルトで伝達し、減速機を介して、その出力軸よりチエーンで駆動部の駆動輪に動力伝達される。
【００１４】
ゲージ台は、製材台本体の台上に設け、ゲージ台の支点にはハンドルを設け、ハンドルの先端部の作用点を前記の移動台の枠に設けている。このゲージ台上には一定の間隔で設けた目盛り穴を備えている。ハンドルを操作して目盛り穴に係止された係止ピンの位置を変えることにより、係止ピンがゲージ台の穴の位置を変えた目盛り分に対応してハンドルの作用点を有する移動台の位置が移動して、ピロブロックに軸を支持された回転軸の丸鋸の位置が固定される。
【００１５】
【発明の実施の形態】
本発明の技術的思想は、実施例において次に記載のように具体化されているものである。
【００１６】
生産地に木材の生産者が製材機を運搬して設置し、間伐材の丸太の生産地で製材し付加価値を有する角材に加工するために、実施例は、軽量で、運搬容易、設置と撤去が容易にして、小人数で丸太を製材し角材に加工出来るように小型化した自動製材機である。間伐材は、経済価値が低く生産地で出荷前に間伐材を角材に加工して付加価値を付けて出荷する事が出来る。
【００１７】
接地した枕木上に設けた角パイプのレール台上に直立して設けた支柱上部の一方には駆動輪のピンが噛合する穴を有する穴開きレールを設け、もう一方には通常のレールを設ける。該レールを二つに分割して両レールを継ぎ手で連結出来るようにしている。
【００１８】
該レールを上下に挟んで転動するローラ若しくはベアリングを製材台本体に設ける。これには転動を停止するストッパーを設けて、製材台をレールに適宜固定する場合もある。
【００１９】
製材台本体上方に角パイプを溶接して設け、２本の角パイプ間に軸を設けてピロブロックに通し、該ピロブロックを移動台に設け、移動台はこの軸上を水平移動可能に構成している。移動台にはピロブロックを設けて、これにより丸鋸の回転軸が支持されており、この回転軸の片方には丸鋸を取り付け、もう一方にはエンジンからの動力を伝達するプーリを設けてある。
【００２０】
移動台上にエンジンを取り付ける。エンジンの回転軸は遠心クラッチを介して出力軸に伝達され、出力軸プーリにベルトを掛けて丸鋸の回転軸に伝達され、更に丸鋸の回転軸の回転力を中間軸及び減速機を介して駆動台の駆動輪に伝達されるようにする。
【００２１】
ゲージ台を製材台上に設ける。ゲージ台の支点にはハンドルを設け、ハンドルの先端部の作用点を前記移動台の枠に設け、ゲージ台上に一定の間隔で設けた目盛り穴を設けてハンドルの移動により係止ピンを止める目盛り穴の位置を変えることが出来る。係止ピンが係止している目盛り穴の変更により、移動台の位置を変更して固定することが出来る。
【００２２】
製材台本体に駆動台を連結し、駆動台に設けた中間軸を介して接続された減速機よりチエーンで駆動台下方に設けた駆動輪に動力伝達される。この駆動輪のピンがレールに開けた穴に係合して、レール上の製材台を駆動させる。
【００２３】
木材の載置装置をレールの側方に構成する。このためにレールに沿って角パイプを設け、角パイプ中央部では継ぎ手で連結され、継ぎ手を外して左右に分解可能であり更には組み立て可能にしてある。
【００２４】
木材の載置装置は、枕木上の角パイプ下方に突設して鉄板を設け、それぞれの鉄板には２つのアーム軸穴を設けて、それぞれの軸穴に２本のアーム軸を通してこれらの軸に歯車を設け、両軸に設けた歯車の噛み合いにより開閉する抱えアームを設けてある。
【００２５】
前記両アーム軸に設けた開閉する抱えアームを開閉操作するため該アーム軸の一方にハンドルを設け、ハンドルの操作により両抱えアームで丸太を抱えて角パイプ上に載置する。載置台には木材を上げ下ろすために滑り台を設けてある。
【００２６】
木材の固定装置は、載置台上に木材を固定するものである。木材載置台の両端には載置台上に置いた木材の両端を固定可能にするクリッパーを設け、クリッパーは載置台上に丸太を固定し、又は固定した丸太を簡単に外すことが出来る構造を有する。
【００２７】
【実施例】
添付図面は、本発明に係る小型自動製材機の実施例について図示している。
図１は、製材台本体正面図、図２は、製材台本体平面図、図３は、製材台に駆動台を連結している製材台本体側面図、図４は、チエーンソーを装着した製材台の正面図、図５は、木材の固定装置の側面図、図６は、木材の載置装置の平面図、図７は、木材の載置装置の正面図、図８は、レール構造の実施態様１の斜視図、図９は、レール台の平面図、図１０は、レール構造の実施態様２の正面図、図１１は、同部分拡大図をそれぞれ示している。図面に基づいて本発明の実施例について詳細に説明する。
【００２８】
【実施例１】
製材台本体の装置
レール台２上に設けた支柱３上部のホルダー４には駆動輪３２のピンが噛合する穴を有する穴開きレールを設け、該台上のもう一方の支柱には通常のレールを設け、該レールを二つに分割して両レールを連結出来るようにした。レール１と、該レールを上下に挟んで転動するローラ３３，３４を設けた製材台本体である。
【００２９】
製材台本体の上方に角パイプ１５を設け、２本の角パイプ１５間に水平移動軸１６を設けてピロブロック１７に通し、該ピロブロック１７を移動台１９に設けて、この移動台が水平移動軸１６上を水平に移動可能にした。移動台１９にはピロブロック１８を設けて丸鋸回転軸１４を通し、この回転軸１４の片方には丸鋸３８を取り付け、該軸のもう一方にはプーリ１３を設けてある。エンジン１１の回転軸に設けたプーリ１２からベルトでプーリ１３に動力を伝達する。移動台１９に設けたピロブロック１８に丸鋸回転軸１４を通してある。移動台１９にはピロブロック１７を設けて、このピロブロック１７に支持された移動軸１６の両端は製材台８上の角パイプ１５に設けてある。移動軸１６上を移動台１９が左右に移動出来るようにしてある。
【００３０】
ゲージ台（丸鋸位置決め装置）
移動台１９上にエンジン１１を設け、製材台８本体上にゲージ台２０を設け、ゲージ台のゲージ支点２１にはハンドル２６を設け、ハンドルの一方にはスプリング２７で弾発している係止ピン２５を設け、ハンドルの先端部の作用点２２を水平移動軸１６上に設けた移動台１９の枠に設けている。ゲージ台上に一定の間隔で目盛り穴２３を設け、該目盛り穴に係止する係止ピン２５の位置をハンドル２６の移動により変えることにより、移動台のピロブロック１８に支持された丸鋸回転軸１４の位置が決定される。この丸鋸回転軸１４の位置が決まる結果、丸鋸３８の回転で木材を切断する位置が決まるようにした。ゲージ台２０の頂点には危険防止山型２４を設けてある。この危険防止山型により係止ピン２５が目盛り穴に係合出来ない幅を有するようにしてある。この山型構造により丸鋸が回転しても丸鋸の刃が木材載置台の幅から外され、木材載置台には当たらないようにしたので丸鋸による事故を防止することが出来る。
【００３１】
木材の載置台装置
レール１の方向と同一方向に枕木３７上に角パイプ５を設置する。角パイプは二分割して継ぎ手５５で連結出来るものである。角パイプの下方に鉄板を突設し、鉄板には左右２つのアーム軸穴を設けて、それぞれの軸穴に２本のアーム軸５２を通して、両軸に歯車７と抱えアーム５３を設け、この軸に搭載ハンドル５１を設けるようにした。搭載ハンドル５１には適位置でハンドルを係止させる適宜なストッパーを設けてある。前記角パイプ５上につば付きローラ４９を設け離して木材載置台４５を設ける。これに滑り台５４を設けて木材の載置を容易にする。
【００３２】
木材の固定台装置
木材５０の載置台４５の両端にはクリッパー４６を設け、載置台上に摺動してクリッパーの移動を自在にしてある。クリッパー４６にはその上部にハンドルＡ４７とハンドルＢ４８とを設け、ハンドルＡには木材の木口に鋭利な歯を当てて固定する機能を有するものを設け、ハンドルＢには自在に摺動するクリッパー４６を載置台上に押圧ボルトで固定する機能を備えるものにした。従って、ハンドルＢ４８を操作して押圧ボルトを載置台４５上に固定しておいて、載置台上に置いた木材５０の両端の木口にハンドルＡ４７を操作して鋭利な歯を当てて固定するものである。載置台４５上のクリッパー４６は左右に２台設けてある。載置台４５上の２台のクリッパー間に置かれた木材５０の長さに合わせてクリッパー４６摺動させどんな木材をも固定することが出来るものである。この木材固定台は木材の長さに関係なくどんな長さにも対応して調整が効く構造を有することを特徴とする。
【００３３】
チエーンソー取り付け装置
製材台本体８の正面にはボルトケース４３を設け、その内部に螺子付きのボルト４０を回転可能に支持し、その一端にはハンドル４１を設け、前記のボルトの螺子の回転で移動するコマ４２を設けている。ハンドル４１の回転でケース内部のコマ４２が移動するようにしてあり、コマに設けた伸縮軸の一端のチエンソーにより切断する位置を変更することが出来る。伸縮軸３９の一端にはチエンソー９を脱着することが出来るようにした。
【００３４】
製材台の駆動装置
駆動台３５は、製材台８本体に連結出来るようにした。駆動台３５上に設けた中間軸２８にプーリを設け、丸鋸回転軸１４に設けたプーリから中間軸２８を介してベルト２９で減速機３０に動力伝達され、更に減速機を介してチエーン３１で駆動輪３２に動力伝達される。駆動輪は、駆動台３５下方に設け、駆動輪３２のピンがレールに開けた穴に係合して製材台本体をゆっくり移動しつつ、丸鋸３８で長い木材５０を製材することが出来るようにした。
【００３５】
レールの構造の実施態様１
枕木３７上には角パイプのレール台２を設け、これにレールを支持する支柱３を直立して、先端部にホルダー４を設けて、ホルダー４に支持されたアーム６にレール１を設けてある。左右レール１は継ぎ手５５を用いて連結して使用出来る。レール１の上下をローラ３３、つば付きローラ３４でそれぞれ挟持して、製材台がレール上を正確に移動することが出来る。
【００３６】
レールの構造の実施態様２
枕木３７上には角パイプのレール台２を設け、枕木とレール台にレールを支持する支柱６０を直立して、先端部の左右に突設してアーム６１をＴ字形に設け、パイプアームの中に入れたナット６２でレール１を設けてある。左右レール１は継ぎ手５５を用いて連結して使用出来る。左右レール１の上下にベアリング５６を設け、それぞれのシャフト６３にスナップリング５７で前記のベアリングを設けてあり、製材台本体下方に突設してある角パイプ５９に前記のシャフト６３及びレールの側面に当接して調整ベアリングを設けている。左右レール１の上下をベアリングで挟持して、更に調整ベアリングをレールに接して製材台がレール上を正確に移動することが出来る。
【００３７】
エンジンのスロットルワイヤーに連結したレバーアームを設け、レールにはストッパーを設けてレバーアームの先端がストッパーに掛かるとレバーアームの係合が外れて、スロットルワイヤーが戻り遠心クラッチが切れて駆動が停止する。又、スロットルワイヤーに連結したレバー３６を駆動台若しくは製材台に設け、駆動輪３２を逆回転するよう前後進レバーを切り替えて、スロットルレバーを引き遠心クラッチを係合させることで、前進、後進も可能である。
【００３８】
【発明の効果】
本発明の効果は、請求項１乃至請求項８の各項に記載の発明の構成により次に記載の効果を奏するものである。
【００３９】
小型自動製材機は、分解組み立てが容易であり、運搬には軽量である。林業家は、自分の山林の現地にて製材機を組み立て、産出する間伐材の丸太を生産地にて角材に製材し、経済価値が低い丸太を出荷前に角材に加工することにより付加価値を付けて出荷する事が出来る。
【００４０】
この小型自動製材機は、２種類のレール、木材載置台、製材台本体、駆動台の各部装置を分解及び組み立てを容易にすることが出来る。木材産出の現地にて容易に出来るように構成してあって、各部の重量は軽量である。生産地に木材の生産者が小人数で製材機を分解、運搬して設置し、生産地で丸太を製材して角材に加工することが出来る。
【００４１】
この小型自動製材機は、手動若しくは自動で製材台本体がレール上を前後に移動出来る。駆動台を連結して駆動輪により自動で製材台本体を移動させることにより、丸鋸を往復させて丸太を角材又は板材に製材することが出来る。
【００４２】
製材台本体を前後に往復させて、丸鋸を往復共に回転させて切断することが出来る。チエンソーを製材台の伸縮軸の端に装着して、木材を切断することも可能である。
【図面の簡単な説明】
【図１】製材台本体の正面図
【図２】製材台本体の平面図
【図３】製材台本体の側面図
【図４】チエーンソーを装着した製材台本体の正面図
【図５】木材の固定装置の正面図
【図６】木材の搬入装置の平面図
【図７】木材の搬入装置の右側面図
【図８】レール構造実施態様１のレールの斜視図
【図９】同レール台の平面図
【図１０】レール構造実施態様２のＴ字形レールの正面図
【図１１】同レールの正面拡大図
【符号の説明】
１．．．レール
２．．．レール台
３．．．支柱
４．．．ホルダー
５．．．角パイプ
６．．．アーム
７．．．歯車
８．．．製材台
９．．．チエンソー
１０．．．前後進レバー
１１．．．エンジン
１２．．．プーリ
１３．．．プーリ
１４．．．丸鋸回転軸
１５．．．角パイプ
１６．．．水平移動軸
１７．．．ピロブロック
１８．．．ピロブロック
１９．．．移動台
２０．．．ゲージ台
２１．．．ゲージ支点
２２．．．作用点
２３．．．目盛り穴
２４．．．危険防止山型
２５．．．係止ピン
２６．．．ハンドル
２７．．．スプリング
２８．．．中間軸
２９．．．ベルト
３０．．．減速機
３１．．．チエーン
３２．．．駆動輪
３３．．．ローラ
３４．．．つば付きローラ
３５．．．駆動台
３６．．．スロットルワイヤーに連結したレバー
３７．．．枕木
３８．．．丸鋸
３９．．．伸縮軸
４０．．．ボルト
４１．．．ハンドル
４２．．．コマ
４３．．．ボルトケース
４４．．．木材載置台の位置調整ボルト
４５．．．木材載置台
４６．．．クリッパー
４７．．．ハンドルＡ
４８．．．ハンドルＢ
４９．．．つば付きローラ
５０．．．木材
５１．．．ハンドル
５２．．．アーム軸
５３．．．抱えアーム
５４．．．滑り台
５５．．．継ぎ手
５６．．．ベアリング
５７．．．スナップリング
５８．．．カラー
５９．．．角パイプ
６０．．．支柱
６１．．．アーム
６２．．．ナット
６３．．．シャフト
６４．．．調整ベアリング
【図１】
0003599278.tif 000002
【図２】
0003599278.tif 000003
【図３】
0003599278.tif 000004
【図４】
0003599278.tif 000005
【図５】
0003599278.tif 000006
【図６】
0003599278.tif 000007
【図７】
0003599278.tif 000008
【図８】
0003599278.tif 000009
【図９】
0003599278.tif 000010
【図１０】
0003599278.tif 000011
【図１１】
0003599278.tif 000012